(57)【特許請求の範囲】
【請求項１】
複数のコンベヤーベルトモジュールを用い、相互嵌合リンク端部を通して開口部内にジャーナル支承され、且つ着脱自在のシャットルプラグにより保持されるヘッドレス軸ピン棒によって、回動自在に相互連結している前記コンベヤーベルトモジュール上に、前記相互嵌合リンク端部を備えたコンベヤーベルトであり、
・そのベルト縁部の近くのモジュール（２１，２２）は、２つのジャーナル支承するリンク端部開口部（３６，３７）との間の位置のモジュール内の前記コンベヤーベルトの長手方向に配置された往復経路キャビティ（３５）を備え、
・前記往復経路キャビティ（３５）は２つの対向する端部を有し、その端部のうち一方は前記２つのジャーナル支承するリンク端部開口部のうち１つ（３７）を遮断する盲端部（３４）であり、もう一方の端部は、シャットルプラグ（４１）が前記往復経路キャビティ（３５）内に挿入あるいはそこから前記コンベヤーベルトの長手方向に取り外されるための開放端部であり、
・前記往復経路用キャビティ（３５）は、前記コンベヤーベルトの隣接モジュールがジャーナル支承された軸ピン棒（７５）によって相互接続するときに、前記キャビティ内に保持するために前記キャビティ（３５）の長手方向に移動できる摺動可能なシャットルプラグ（４１）を収容するための寸法を有し、
・前記往復経路キャビティ（３５）は、それぞれ軸ピン棒を適所に保持するか、または軸ピン棒の取外しを可能にする別の固有のプラグ位置を備えた前記長手方向の経路を規定し、
・前記別の固有のプラグ位置の間で移動するために、前記往復経路キャビティ（３５）内で嵌合する前記移動可能なシャットルプラグ（４１）と、
・前記コンベヤーベルトの縁部から離れることなく、ジャーナル支承された軸ピン棒（７５）を適所に保持するため、また、固定された閉塞位置に前記シャットルプラグ（４１）を安定して保持するための、前記シャットルプラグ（４１）上の選択的に位置決め可能な戻り止め部材（４５）
を特徴とするコンベヤーベルト。
【請求項２】
前記シャットルプラグ（４１）の本体部分（４４）から弾性的かつ一体的に伸びる、可撓性アーム（４３）を有するプラスチック製シャットルプラグ（４１）と、
前記可撓性アーム（４３）の弾性撓みにより固定をゆるめ、双安定して固定された閉塞位置に前記プラグ（４１）を保持するため、軸ピン棒ジャーナル支承孔（３７）を前記コンベヤーベルトの縁部と、ジャーナル支承された軸ピン棒との間の位置に挿入するための、前記可撓性アーム上の一体部材からなる前記戻り止め部材（４５）と
を特徴とする、請求項１記載のコンベヤーベルト。
【請求項３】
前記往復経路キャビティ（３５）が、盲端部（３４）と、対向する開放端部、ならびに前記シャットルプラグ(４１)が前記往復経路キャビティの開放端部から脱出しないように、弾性的にバイアスをかけた(５４)戻り止めストップ手段（５６）とからなることを特徴とする請求項１記載のコンベヤーベルト。
【発明の詳細な説明】
【０００１】
【発明の属する技術分野】
本発明はコンベヤーベルト内でのヘッドレス軸ピン棒の保持に関し、詳述すれば着脱可能のプラグもしくはストップを用いて前記軸ピン棒を前記コンベヤーベルトの動作中に適所に保持するコンベヤーベルトおよびジャーナル支承するリンク端部開口部で軸ピン棒を閉塞または保持する方法に関するものである。
【０００２】
【従来の技術】
モジュールリンク端部開口部にジャーナル支承されているヘッドレス軸ピン棒を閉塞させる着脱可能のプラグもしくはクリップを備えるモジュールリンクベルトの代表的技術開示は、米国特許第４，７０９，８０７号、米国特許第５，０２４，３２１号、米国特許第５，０９６，０５３号、米国特許第５，２１７，１１０号、米国特許第５，２４７，７８９号、米国特許第５，２９３，９８９号、米国特許第５，３０５，８６９号、米国特許第５，３３５，７６８号ならびに米国特許第５，４３５，４３５号などが挙げられる。
【０００３】
これらの米国特許のすべてが、コンベヤーベルトの操作にあたって遭遇する作業条件下にある時、前記軸ピン棒を適所に保持するプラグ、クリップなどがそれ自体緩めに動作させることができるという点で、共通の問題と欠点をもつ。これは結果的には搬送製品の汚染もしくは装置のよごれを破局的に来すことになる。この問題は、若干の弾性を有し、また滑らかな表面を本質的にもつモジュールリンクを備えるプラスチックベルトで特に顕著である。このような故障に繋がる条件は動作条件、例えば、振動領域、荷重重量の変化、重いか、あるいは急速に変化するベルト張力の範囲ならびに、特にベルトの縁部のベルト通路に拡がることがある物理的障害事項である。
【０００４】
【発明が解決しようとする課題】
本発明の目的は、前述の問題の解決と、コンベヤーベルトの有効寿命中、ヘッドレス軸ピン棒を適所に今まで以上に確実に保持し、かつ標準的ベルト作業状態中に、シャットルプラグの破局的な故障もしくは損傷の可能性のほとんどない複数のコンベヤーベルトモジュールを用いるコンベヤーベルトおよびジャーナル支承するリンク端部開口部で軸ピン棒を閉塞または保持する方法を提供することである。
【０００５】
【課題を解決するための手段】
上記目的を達成するため本発明の第１の実施態様は、複数のコンベヤーベルトモジュールを用い、相互嵌合リンク端部を通して開口部内にジャーナル支承され、且つ着脱自在のシャットルプラグにより保持されるヘッドレス軸ピン棒によって、回動自在に相互連結している前記コンベヤーベルトモジュール上に、前記相互嵌合リンク端部を備えたコンベヤーベルトであり、
・そのベルト縁部の近くのモジュール（２１，２２）は、２つのジャーナル支承するリンク端部開口部（３６，３７）との間の位置のモジュール内の前記コンベヤーベルトの長手方向に配置された往復経路キャビティ（３５）を備え、
・前記往復経路キャビティ（３５）は２つの対向する端部を有し、その端部のうち一方は前記２つのジャーナル支承するリンク端部開口部のうち１つ（３７）を遮断する盲端部（３４）であり、もう一方の端部は、シャットルプラグ（４１）が前記往復経路キャビティ（３５）内に挿入あるいはそこから前記コンベヤーベルトの長手方向に取り外されるための開放端部であり、
・前記往復経路キャビティ（３５）は、前記コンベヤーベルトの隣接モジュールがジャーナル支承された軸ピン棒（７５）によって相互接続するときに、前記キャビティ内に保持するために前記キャビティ（３５）の長手方向に移動できる摺動可能なシャットルプラグ（４１）を収容するための寸法を有し、
・前記往復経路キャビティ（３５）は、それぞれ軸ピン棒を適所に保持するか、または軸ピン棒の取外しを可能にする別の固有のプラグ位置を備えた前記長手方向の経路を規定し、
・前記別の固有のプラグ位置の間で移動するために、前記往復経路キャビティ（３５）内で嵌合する前記移動可能なシャットルプラグ（４１）と、
・前記コンベヤーベルトの縁部から離れることなく、ジャーナル支承された軸ピン棒（７５）を適所に保持するため、また、固定された閉塞位置に前記シャットルプラグ（４１）を安定して保持するための、前記シャットルプラグ（４１）上の選択的に位置決め可能な戻り止め部材（４５）
とを形成するコンベヤーベルトを特徴とするものである。
【０００６】
また本発明の第２の実施態様は、コンベヤーベルトの２つの隣接するモジュールの間のジャーナル支承するリンク端部開口部で軸ピン棒を閉塞させて、該軸ピン棒のベルトの縁部からの脱出移動を防ぐ方法において、各モジュールのベルト縁部の近くに、モジュールの２つのジャーナル支承された軸ピン棒を収容するためのリンク端部開口部の間に位置決めされ、かつそれぞれのモジュールの一方の軸ピン棒をジャーナル支承するリンク端部開口部を遮断させる盲端部を備える横方向に配置した往復経路キャビティを配設する工程からなり、前記往復経路キャビティ内の第１の軸ピン棒の双安定閉塞位置と、軸ピン棒をジャーナル支承するリンク端部開口部に対する挿入と取外しを可能にする第２の双安定位置との間の移動のため、ジャーナル支承された戻り止めのできるシャットルプラグを収容するよう往復経路キャビティを構成したジャーナル支承するリンク端部開口部で軸ピン棒を閉塞させる方法を特徴とするものである。
【０００７】
さらに本発明の第３の実施態様は、コンベヤーベルトの隣接するモジュールを旋回自在に接続するジャーナル支承するリンク端部開口部に軸ピン棒を保持して、前記軸ピン棒のベルト縁部からの不注意による伸びを防ぐ方法において、前記モジュールに横方向に延長する溝を、一方のジャーナル支承するリンク端部開口部を盲端部で閉塞させ、相対する開放端部を有する２つのリンク端部をジャーナル支承したリンク端部開口部の間の場所に配設する工程と、シャットルプラグの戻り止めを施して、各双安定位置の間に前記溝を移動させる工程とからなり、モジュール内のリンク端部の一方のリンク端部開口部でジャーナル支承された軸ピン棒を閉塞して該軸ピン棒が第１の双安定位置でベルト縁部の外に出る移動を防ぎ、また軸ピン棒を自由にして第２の双安定位置でベルト縁部から取外すジャーナル支承するリンク端部開口部に軸ピン棒を保持する方法を特徴とするものである。
【０００８】
本発明では、モジュールリンクに配設されたベルト縁部構造部材内に伸びる閉鎖された合致するキャビティに保持された可動プラグもしくはタブを提供する。これらのプラグは合致するキャビティ内の２つの双安定位置の間を往復動し、また別にヘッドレス軸ピン棒をそのジャーナル支承する相互嵌合リンク端部開口部の適所に閉塞させたり、また軸ピン棒を自由にして、その固有のジャーナル支承位置に対して出入させる。
【０００９】
前記閉鎖された合致するキャビティは１つのリンク端部からベルト縁部構造部材内の相対するリンク端部の方に横方向に向けられ、リンク端部開口部にジャーナル支承されるただ１つのリンク軸ピン棒を１つの盲端部をつくる方法で止める。そのようなキャビティ内を往復するプラグは戻り止め構造部材を備え、キャビティ内の２つの双安定位置にそれを保持させる。プラグを単一往復キャビティ開口部を閉鎖することでさらに閉塞して、隣接するモジュールリンクのベルト縁部構造部材によってプラグの取外しができないようにする。このようにして、プラグは標準的な動的ベルト動作中キャビティに保持され、ベルトを破断するか、あるいは故意に分解するかしない限り、外れることはない。
【００１０】
【発明の実施の形態】
以下本発明を添付図面に基づいて詳述する。
図１に示すように、コンベヤーベルトの２つの隣接するモジュール２１、２２を並列関係にして示す。それぞれのリンクの底部に示されたベルト縁部構造部材２３、２４は、シャットルプラグ２５が中を滑動する内部横方向キャビティを備える。このシャットルプラグ２５は内部キャビティ内を横方向に滑動して２つの双安定位置に入る。このようにして一方の位置にあって、相互嵌合リンク端部２６の開口部にジャーナル支承されるヘッドレス軸ピン棒７５をベルトの前記シャットルプラグ２５の片方の双安定位置に保持して、軸ピン棒が標準的動作条件にあってベルト縁部から外れて動作できないようにする。他方の安定位置にあって、軸ピン棒を前記ジャーナル支承するリンク端部開口部に対し、ベルトの縁部２７を通し、プラグ１５による障害なしに挿入もしくは取外しができる。注意すべきことは、リンク端部構造部材のシャットルプラグが合致する内部キャビティが右側で開放された出入端部と、左側で内部閉鎖盲端部を備えることである。
【００１１】
軸ピン棒を軸方向に移動させ、コンベヤーベルトにより搬送される物品を汚染させるかあるいは装置を故障させるプラグ損失の問題の解決には、ベルト縁部構造部材２３、２４としてのリンク端部もしくはフィンガーの丸味のある端部が、軸ピン棒により前記モジュール２１、２２を相互に連結した時、内部キャビティの開放された出入端部と係合して、シャットルプラグ２５が盲端部を有する内部キャビティから外れないよう閉塞するのに役立つ。そのキャビティはベルト縁部構造部材２３、２４内をモジュール２１、２２の左手側の軸ピン棒ジャーナル支承するリンク端部開口部に重なっており、またベルト縁部構造部材２３、２４としてのリンク端部の左側ノーズ端部２６′などと対峙しているリンク端部構造部材の右手縁部２８などで終端する一方の末端部から横方向に伸びている。
【００１２】
ベルトの縁部を通ってシャットルキャビティに延長している図４のスロット３２は工具、例えばねじ廻しを入れて、シャットルプラグを戻り止めをつけた軸ピン棒を保持する固定位置の方に向かって押しやることができる。シャットルプラグ２５が中で滑動する内部の合致するキャビティ内に延長する外側シェルを通るスロット２９も、工具、例えばねじ廻しもしくはブレードをシャットルプラグの前記内部キャビティ内の弾性的にバイアスされ固定された位置からの取外しに使用できるように入れることもできる。モジュール２１、２２上のフランジ３０はリンク端部３１の前記丸味のあるノーズ２６と係合して図３でわかるように事実上途切れのない平坦な平面的荷重の支承面の形成に役立つ。それにはベルト縁部２７で終端するテーパー付き搬送面縁部３３が備わる。
【００１３】
図５の断面図では、軸ピン棒を中でジャーナル支承するリンク端部開口部３６、３７の間に横方向に配置された往復経路キャビティ３５の内部レイアウトを示す。前記往復経路キャビティ３５は盲端部３４を備え、軸ピン棒をジャーナル支承するリンク端部開口部３７に延長する。前記往復経路キャビティ３５の横断面形状は事実上矩形（図６）で、外側方向に拡がるキー溝３９を備え、キー４０を備えるプラグ側面を合致するプラグ本体と滑動接触して収容する（図１１）。前記往復経路キャビティ３５から外側方向に伸びる２つの別の溝６２と７２は隙間をプラグ２５の他の付属物に提供する。前記キー溝３９に対向する溝７２は軸ピン棒のリンク端部開口部３７の直前で終端する。キャビティ壁面４８の短い部分を溝７２とリンク端部開口部３７の間に配置する。
【００１４】
シャットルキャビティの中に入って嵌合し、またその中で滑動するシャットルプラグ４１の一実施例を図８乃至１２に拡大して示す。可撓性アーム４３を支持する戻り止め部材４５は薄い中間領域６０を通して、プラグをモールドする硬質であるが可撓性のあるプラスチック材料製のシャットルプラグ４１の本体部分４４から一体になって伸びる。事実上矩形の本体部分４４は合致するシャットルキャビティ（図６の往復経路キャビティ３５）内で密着して嵌って、その中でプラグ４１の前記２つの双安定作業位置の間を前後に往復動する。軸ピン棒の安定閉塞位置にあって、戻り止め部材４５が軸ピン棒をジャーナル支承するリンク端部開口部（図７、３７）に入って固定し、その中に固定安定した固有の位置に閉塞プラグとして戻り止めを保持する。
【００１５】
戻り止め部材４５の上の傾斜もしくはテーパー面４７は、可撓性アーム４３が溝７２とリンク端部開口部３７の間にあって、かつシャットルプラグのキー溝４９が中で移動するキー溝３９（図６）に対向するキャビティ壁面４８との係合により撓わむに従って、戻り止め部材４５のその閉塞位置に対する出入運動が促進される。戻り止め部材４５の回りの円筒状壁部５０は、戻り止め部材の可撓性アーム４３の弾性バイアスによる軸ピン棒のリンク端部開口部３７（図７）にあるその合致する軸ピン棒のジャーナル支承する場所の固定に役立つ。
【００１６】
前記シャットルプラグをその他の安定位置に移動させて軸ピン棒を取外すことになる時、戻り止め部材４５はその固定位置を乗越えて取外しできる。このようにして可撓性アーム４３を器具、例えばねじ廻しで撓ませ、軸ピン棒のジャーナル支承するリンク端部開口部３７をベルトの縁部から入れて、閉塞プラグをその戻り止め位置から強制的に外すことができる。典型的例として、ねじ廻しの先端は戻り止め部材４５と、タブ４６と、戻り止め部材４５の平面との交点で形成される隆起で係合させ、それによりその戻り止め状態からねじ廻し先端により撓ませるに従ってシャットルプラグを出口キャビティに横方向に同時に戻すことができる。
【００１７】
シャットルプラグの本体部分を５３、５４の位置で開口させて、それがモジュールリンク２１、２２の合致するシャットルキャビティ３８に入り、キャビティ壁部５７と摩擦接触する時、可撓性を付与し、拡がっている隣接戻り止めストップ５５、５６の１つを圧縮する。前記戻り止めストップ５５、５６の入口面５８にテーパーを付け、ストップ面５９は通常シャットル本体面から高くなる。この戻り止めストップはスロット２９（図５）の中に嵌っていて、ストップ面５９と係合してシャットルプラグが合致するシャットルキャビティ３８から外れないようにする。スロット２９はねじ廻し先端、ブレードまたはその種の他のものをその中に挿入する入口点を提供して、戻り止めストップ５６の役目を低減させるか取外して、シャットルプラグ４１をシャットルキャビティ３８から取外すことができるようにする。プラグ４１も、先に述べた方法で隣接リンク端部２６′があるがために、ベルトを取外す時に限り、モジュール２１もしくは２２の固有位置から取外すことができる。
【００１８】
戻り止めストップ５５、５６の片方だけを用いると、その対向する他方は図６に示されたようにシャットルキャビティ３８に沿って伸びるキー溝状の溝６２に嵌まる。従って、プラグはモジュールリンクの右手あるいは左手バージョンのいずれかに普遍的用途として両用できる。溝７２は、それを非閉塞位置においた時、戻り止め部材４５のための隙間を提供する。これは縁部モジュールを例えば素材にして、シャットルプラグ４１をすぐアセンブルできる非閉塞位置に、可撓性アーム４３を長期間連続曲げ力にかけることなく設置したまま貯蔵ができる。
【００１９】
図１３乃至１５に示された通り、シャットルプラグ６５の第２の実施例は単一の同様の撓み自在に運動できる戻り止めストップ部材６６を配設している。このシャットルプラグは同じような仕方で機能し、本体部分４４′に一体にくっつけられた可撓性アーム４３に跨った閉塞戻り止め部材４５を含む類似の特性を備える。しかしながら、合致する戻り止めキー用隆起４０′は偏心していて、可撓性とバイアス作用を与えて固定ストップ部材６６を乗越えるばねスロット６７とバランスする。
【００２０】
図１６乃至２０は保持モジュールコンベヤーベルトリンクの対応するリンク端部構造部材のキャビティ３５′内のその双安定作動位置にある内部プラグ６５を点線で示す。これらの動作位置は前述の実施例に係るプラグが往復動するキャビティ４１、３５の位置と同様である。従って、図１６と１７は内部プラグを軸ピン棒をジャーナル支承するリンク端部開口部を開放して軸ピン棒を挿入もしくは取外せるその安定位置にして示す。図１８と１９は軸ピン棒をコンベヤーベルト内に保持させるその閉塞状態安定位置にして示す。
【００２１】
従って、図１６のシャットルプラグの側面図では、可撓性アーム４３は戻り止め部材４５を、シャットルプラグが軸ピン棒をジャーナル支承するリンク端部開口部３６を閉塞させる軸ピン棒の閉塞位置から右側に向けて移動するに従って、ジャーナル支承するリンク端部開口部３６の縁部７０と接触させることで撓ませる。図１７のシャットルプラグの平面図から、ストップ部材６６がスロット２９の端部に届いて、シャットルプラグを適所に保持し、そのためそれがシャットルキャビティ３５′の右側の開放端部から逃げないようにすることと、それが前述のように隣接するモジュールリンク端部の位置により閉塞されることもわかる。
【００２２】
図１８のシャットルプラグの側面図からわかるように、可撓性アーム４３の弾性が戻り止め部材４５を、ヘッドレス軸ピン７２のベルト２７の縁部から（下方方向へ）の取外しを閉塞する軸ピン棒をジャーナル支承するリンク端部開口部３６に着座もしくは固定させる。シャットルプラグ４１に向う軸方向運動もしくは軸ピン棒の長さの増大も固定されたプラグをジャーナル支承するリンク端部開口部３６から押し出すことはできない。図１９のシャットルプラグの平面図ならびに図２０のシャットルプラグの側面図の両図面では、ベルトの縁部にあるスロット３２（図４にも示されている）がねじ廻しの先端を挿入してシャットルプラグの閉塞位置への押込みを可能にする。同様にスロット２９もシャットルプラグの本体部分に対する押圧のために用いることができる。
【００２３】
図２１からわかるように、シャットルプラグ４１は、戻り止め部材４５を軸ピン棒のリンク端部開口部３７に収容したリンク端部２３内の往復経路キャビティ３５の内側のその軸ピン棒７５の双安定した閉塞位置にある。このようにして、シャットルプラグ４１は外側方向（左側に）には移動できないので、軸ピン棒７５の閉塞に役立つ。
【００２４】
図２２のその他の安定位置は軸ピン棒をリンク端部開口部３７に対して取付けもしくは取外しを可能にする。シャットルプラグ４１を、後端部戻り止めストッパ（図示せず）がスロット２９（図２１）の左側端部と係合する安定位置に保持する。
【００２５】
他のモジュールリンクの構成、例えば縁部のない内部モジュールを備える煉瓦積み図形に積まれたような構成を本発明から逸脱することなく組立てることができる。
【発明の効果】
【００２６】
以上述べた通り本発明によれば、コンベヤーベルトの有効寿命中、ヘッドレス軸ピン棒をベルト縁部からの不注意により取外すことを防ぎ、適所に今まで以上に確実に保持し、かつ標準的ベルト作業状態中に、シャットルプラグの破局的な故障もしくは損傷の可能性のほとんどない複数のコンベヤーベルトモジュールを用いるコンベヤーベルトおよびジャーナル支承するリンク端部開口部で軸ピン棒を閉塞または保持する方法を提供することができる。
【図面の簡単な説明】
【図１】  本発明のリンク縁部構造部材を具体化するコンベヤーベルトの２つの隣接するモジュールリンクの背面図である。
【図２】  図１の右側、シャットルプラグの端部におけるモジュールリンク正面図である。
【図３】  図１の一方のモジュールリンクの平面図である。
【図４】  図３のモジュールリンクの側面図である。
【図５】  図４の５−５線上のモジュールリンクのリンク縁部を示す断面図である。
【図６】  図３の６−６線上のモジュールリンクのリンク縁部を示す部分断面図である。
【図７】  図３の７−７線上のモジュールリンクのリンク縁部を示す断面図である。
【図８】  本発明のシャットルプラグの一実施例の斜視図である。
【図９】  図８のシャットルプラグの側面図である。
【図１０】  図９のシャットルプラグの底面図である。
【図１１】  図１０のシャットルプラグの左側面図である。
【図１２】  図１０のシャットルプラグの右側面図である。
【図１３】  本発明のシャットルプラグの他の実施例を示す平面図である。
【図１４】  図１３の側面図である。
【図１５】  図１３の右側面図である。
【図１６】  モジュールリンクの部分平面図で、軸ピン棒の挿入もしくは取外しの一方の双安定位置に配置された内部シャットルプラグを点線で示す図である。
【図１７】  内部シャットルプラグを点線で示すモジュールリンクの図１６の底面図である。
【図１８】  軸ピン棒閉塞の他方の双安定位置に配置された内部シャットルプラグを点線で示すモジュールリンクの図１６の底面図である。
【図１９】  図１８の底面図である。
【図２０】  図１９のモジュールリンクのベルト縁部の右側面図である。
【図２１】  軸ピン棒を閉塞する双安定位置にあるシャットルを示す一部切欠斜視図である。
【図２２】  双安定位置にあって、軸ピン棒の挿入を可能にするシャットルプラグを示す一部切欠斜視図である。
【符号の説明】
２１  モジュール
２２  モジュール
２３  ベルト縁構造部材
２４  ベルト縁構造部材
２５  シャットルプラグ
２６  リンク端部
２６′  ノーズ端部
２７  ベルトの縁部
２８  右手縁部
２９  スロット
３０  フランジ
３１  リンク端部
３２  スロット
３３  テーパー付き搬送面縁
３４  盲端部
３５  往復経路キャビティ
３５′  キャビティ
３６  リンク端部開口部
３７  リンク端部開口部
３８  シャットルキャビティ
３９  キー溝
４０  キー
４０′  嵌合い戻り止めのキー用隆起
４１  シャットルプラグ
４３  可撓性アーム
４４  本体部分
４４′  本体部分
４５  戻り止め部材
４６  タブ
４７  テーパー面
４８  キャビティ壁面
４９  シャットルプラグキー
５０  円筒状壁
５３  シャットルプラグの開口部
５４  シャットルプラグの開口部
５５  戻り止めストップ
５６  戻り止めストップ
５７  キャビティ壁部
５８  入口面
５９  ストップ面
６０  薄い中間領域
６２  キー溝状の溝
６５  第２シャットルプラグ
６６  戻り止めストップ部材
６７  ばねスロット
７０  縁部
７２  溝
７５  ヘッドレス軸ピン棒
【図１】
0004063925.tif 000002
【図２】
0004063925.tif 000003
【図３】
0004063925.tif 000004
【図４】
0004063925.tif 000005
【図５】
0004063925.tif 000006
【図６】
0004063925.tif 000007
【図７】
0004063925.tif 000008
【図８】
0004063925.tif 000009
【図９】
0004063925.tif 000010
【図１０】
0004063925.tif 000011
【図１１】
0004063925.tif 000012
【図１２】
0004063925.tif 000013
【図１３】
0004063925.tif 000014
【図１４】
0004063925.tif 000015
【図１５】
0004063925.tif 000016
【図１６】
0004063925.tif 000017
【図１７】
0004063925.tif 000018
【図１８】
0004063925.tif 000019
【図１９】
0004063925.tif 000020
【図２０】
0004063925.tif 000021
【図２１】
0004063925.tif 000022
【図２２】
0004063925.tif 000023